(57)【要約】  レンズ鏡筒は、円筒状の基準枠と、前記基準枠の径方向内側に配置され、前記第１の回転規制機構で係合される第３枠と、前記基準枠の径方向内側で、かつ、前記第３枠の径方向外側に配置され、前記第３枠に対して第２のカム機構で係合される第２枠と、前記基準枠の径方向内側で、かつ、前記第２枠の径方向外側に配置され、前記第２枠に対して第１のカム機構で係合される第１枠と、を備える。前記基準枠に対して前記第２枠が円筒軸回りに回転されると、前記基準枠から前記第３枠が前記レンズの光軸方向に移動され、前記第３枠から前記第２枠が前記レンズの光軸方向に移動され、前記第２枠から前記第１枠が前記レンズの光軸方向に移動される。そして、前記レンズ鏡筒の光軸方向長さが最も伸びた状態において、前記レンズの光軸方向の被写体側から、第１枠、第２枠、第３枠、基準枠の順に位置する。
2013102994.tif 000002
【特許請求の範囲】
【請求項１】
レンズを有するレンズ鏡筒であって、
円筒状の基準枠と、
前記基準枠の径方向内側に配置され、前記第１の回転規制機構で係合される第３枠と、
前記基準枠の径方向内側で、かつ、前記第３枠の径方向外側に配置され、前記第３枠に対して第２のカム機構で係合される第２枠と、
前記基準枠の径方向内側で、かつ、前記第２枠の径方向外側に配置され、前記第２枠に対して第１のカム機構で係合される第１枠と、
を備え、
前記基準枠に対して前記第２枠が円筒軸回りに回転されると、前記基準枠から前記第３枠が前記レンズの光軸方向に移動され、前記第３枠から前記第２枠が前記レンズの光軸方向に移動され、前記第２枠から前記第１枠が前記レンズの光軸方向に移動され、
前記レンズ鏡筒の光軸方向長さが最も伸びた状態において、前記レンズの光軸方向の被写体側から、第１枠、第２枠、第３枠、基準枠の順に位置する、
レンズ鏡筒。
【請求項２】
前記第３枠は、前記レンズの光軸方向の非被写体側に、フランジ部を有し、
前記第２枠の像面側の端部、または、前記第１枠の像面側の端部は、前記レンズ鏡筒の光軸方向長さが最も縮んだ状態において、前記フランジ部と径方向で重なる位置に配置される、
請求項１に記載のレンズ鏡筒。
【請求項３】
前記第２枠よりも径方向内側に配置され、前記第２枠と光軸方向で移動が規制された第４枠を更に備え、
前記第３枠は、前記第４枠に係合され、前記第４枠の円筒軸回りの回転を規制し、
前記第４枠は、前記第１枠に係合され、前記第１枠の円筒軸回りの回転を規制する、
請求項１に記載のレンズ鏡筒。
【発明の詳細な説明】
【技術分野】
【０００１】
ここに開示される技術は、光学系を備えるレンズ鏡筒に関する。
【背景技術】
【０００２】
従来のレンズ鏡筒としては、特許文献１に記載される技術がある。特許文献１に開示のレンズ鏡筒３は、径方向において、最も外側に配置されている固定枠２０と第１レンズ枠６０の間にカメラカム枠４０が配置されている。カメラカム枠４０は、固定枠２０に対して第1レンズ枠６０を繰り出すためのカム機構を有している。そのため、レンズ鏡筒３の外径は、第１レンズ枠６０の外径にカメラカム枠４０の径方向厚みと、固定枠２０の径方向厚みを加えた寸法となる。
【先行技術文献】
【特許文献】
【０００３】
【特許文献１】特開２０１１−１３６１３号公報
【発明の概要】
【発明が解決しようとする課題】
【０００４】
特許文献１に開示のレンズ鏡筒３では、第１レンズ枠６０の外径に加えて、更にカメラカム枠４０の径方向厚み分、外径が大きくなってしまう。【０００５】
そこで、本開示のレンズ鏡筒は、レンズ鏡筒全体の外径をより小さくできる構造を提供することにある。
【課題を解決するための手段】
【０００６】
ここに開示されるレンズ鏡筒は、円筒状の基準枠と、前記基準枠の径方向内側に配置され、前記第１の回転規制機構で係合される第３枠と、前記基準枠の径方向内側で、かつ、前記第３枠の径方向外側に配置され、前記第３枠に対して第２のカム機構で係合される第２枠と、前記基準枠の径方向内側で、かつ、前記第２枠の径方向外側に配置され、前記第２枠に対して第１のカム機構で係合される第１枠と、を備える。前記基準枠に対して前記第２枠が円筒軸回りに回転されると、前記基準枠から前記第３枠が前記レンズの光軸方向に移動され、前記第３枠から前記第２枠が前記レンズの光軸方向に移動され、前記第２枠から前記第１枠が前記レンズの光軸方向に移動される。そして、前記レンズ鏡筒の光軸方向長さが最も伸びた状態において、前記レンズの光軸方向の被写体側から、第１枠、第２枠、第３枠、基準枠の順に位置する。【０００７】
これによって、第３枠を第１枠よりも径方向内側に配置した上で、３段繰り出しのレンズ鏡筒を実現できる。つまり、第３枠を、基準枠と第１枠の間に配置しなくて良い。したがって、レンズ鏡筒全体の外径を小さくすることができる。【０００８】
また、レンズ鏡筒において、更に、前記第３枠は、前記レンズの光軸方向の非被写体側に、フランジ部を有する。そして、前記第２枠の像面側の端部、または、前記第１枠の像面側の端部は、前記レンズ鏡筒の光軸方向長さが最も縮んだ状態において、前記フランジ部と径方向で重なる位置に配置される。【０００９】
このようにすれば、第１枠又は第２枠が第３枠に収納される際、第１枠又は第２枠の端部を第３枠のフランジ部に重ねることができる。そのため、第１枠又は第２枠の光軸方向の枠の長さをより長くすることができる。よって、レンズ鏡筒において、第３枠に対する第１枠又は第２枠の光軸方向の移動量をより長くすることができる。【００１０】
加えて、レンズ鏡筒において、前記第２枠よりも径方向内側に配置され、前記第２枠と光軸方向で移動が規制された第４枠を更に備え、前記第３枠は、前記第４枠に係合され、前記第４枠の円筒軸回りの回転を規制し、前記第４枠は、前記第１枠に係合され、前記第１枠の円筒軸回りの回転を規制する。【００１１】
これによって、第２枠の回転に伴って、第１枠、第３枠を光軸方向に移動させることができる。そして、基準枠に対して第３枠の回転が規制され、第３枠に対して第４枠の回転が規制され、第４枠に対して第１枠の回転が規制される。結果、第４枠を第２枠よりも径方向内側に配置した、つまり、第４枠を第１枠よりも径方向内側に配置した上で、３段繰り出しのレンズ鏡筒を実現できる。つまり、第４枠を、基準枠と第１枠の間に配置しなくても良い。したがって、レンズ鏡筒全体の外径を小さくすることができる。【００１２】
なお、この従属したレンズ鏡筒は、課題を解決するための手段において上述したレンズ鏡筒の全ての構成要素を含むことなく、実現も可能である。その場合、別の課題を解決する単独の形態として構成可能である。
【発明の効果】
【００１３】
ここに開示される技術によれば、レンズ鏡筒全体の外径をより小さくすることが可能である。
【図面の簡単な説明】
【００１４】
【図１】デジタルカメラの斜視図
【図２】レンズ鏡筒の斜視図（沈胴状態）
【図３】レンズ鏡筒の斜視図（ワイド状態）
【図４】レンズ鏡筒の分解斜視図
【図５】レンズ鏡筒の模式断面図（沈胴状態）
【図６】レンズ鏡筒の模式断面図（ワイド状態）
【図７】レンズ鏡筒の模式断面図（テレ状態）
【発明を実施するための形態】
【００１５】
次に、図面を用いて、実施形態を説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【００１６】
なお、以下の実施形態では、撮像装置としてデジタルカメラを例に挙げて説明する。以下の説明では、横撮り姿勢のデジタルカメラを基準として、被写体側を「前」、被写体の反対側を「後」、鉛直上側を「上」、鉛直下側を「下」、被写体に向かって右側を「右」、被写体に向かって左側を「左」と表現する。横撮り姿勢とは、デジタルカメラの姿勢の一種であり、横撮り姿勢で撮影する場合、横長矩形画像の長辺方向は画像内における水平方向に略一致する。
【００１７】
〈デジタルカメラ１の構成〉
デジタルカメラ１の構成について、図面を参照しながら説明する。図１は、デジタルカメラ１の斜視図である。図２及び図３は、レンズ鏡筒２０の斜視図である。なお、図２では、沈胴状態のレンズ鏡筒２０が図示され、図３では、ワイド状態のレンズ鏡筒２０が図示されている。
【００１８】
デジタルカメラ１は、図１に示すように、筐体１０と、レンズ鏡筒２０と、を備える。
筐体１０は、前板１１と、後板１２と、側板１３と、によって構成される。前板１１には、開口１０Ｓが形成されている。
【００１９】
レンズ鏡筒２０は、３段沈胴式のズーム機構を備える。レンズ鏡筒２０は、非撮影時には筐体１０に収容されており、撮影時には開口１０Ｓから前方に繰り出される。具体的に、レンズ鏡筒２０は、図２及び図３に示すように、第１移動鏡筒部２１と、第２移動鏡筒部２２と、第３移動鏡筒部２３と、固定鏡筒部２４と、を有している。
【００２０】
第１移動鏡筒部２１は、固定鏡筒部２４に対して繰り出し可能である。第２移動鏡筒部２２は、第１移動鏡筒部２１に対して繰り出し可能である。第３移動鏡筒部２３は、第２移動鏡筒部２２に対して繰り出し可能である。固定鏡筒部２４は、筐体１０内に固定される。図３に示すように、レンズ鏡筒２０が繰り出された場合、第１乃至第３移動鏡筒部２１〜２３のうち第３移動鏡筒部２３が最も前方に位置する。
【００２１】
〈レンズ鏡筒２０の詳細構成〉
次に、レンズ鏡筒２０の詳細構成について、図面を参照しながら説明する。図４は、レンズ鏡筒２０の分解斜視図である。
【００２２】
レンズ鏡筒２０は、光軸ＡＸを規定する第１乃至第５レンズ群Ｌ１〜L５を含んでいる。以下の説明では、光軸ＡＸに平行な方向を「光軸方向」、光軸方向に垂直な方向を「径方向」、光軸ＡＸを中心とする円に沿った方向を「周方向」と称する。光軸ＡＸは、レンズ鏡筒２０を構成する各枠の軸心と略一致する。また、以下の説明では、「径方向内側」のことを「内側」と略称し、「径方向外側」のことを「外側」と略称する場合がある。
【００２３】
また、本実施形態において、「直進」とは、周方向に回転することなく光軸方向に移動することを意味する。「移動」は、周方向に回転しながら光軸方向に移動することも含む概念である。
【００２４】
レンズ鏡筒２０は、図４に示すように、固定枠１００、マスターフランジ１０５、第１直進枠１１０、第２直進枠１２０、第３直進枠１３０、第１回転枠２１０、第２回転枠２２０、第１化粧枠３１０、第２化粧枠３２０、第２レンズ群枠Ｆ２、第３レンズ群枠Ｆ３、第４レンズ群枠Ｆ４及び第５レンズ群枠Ｆ５を備える。
【００２５】
本実施形態において、固定枠１００及びマスターフランジ１０５は、固定鏡筒部２４を構成している。また、第１直進枠１１０と第１化粧枠３１０は、第３移動鏡筒部２３を構成し、第３直進枠１３０、第１回転枠２１０及び第２化粧枠３２０は、第２移動鏡筒部２２を構成し、第２直進枠１２０及び第２回転枠２２０は、第１移動鏡筒部２１を構成している。
【００２６】
固定枠１００は、円筒状に形成されている。固定枠１００は、内周面に形成される直進溝ａ１及びカム溝ｂ１を有する。固定枠１００の外周面には、ズームモータ１０１及びズームギア１０２が取り付けられる。ズームモータ１０１は、第１乃至第３移動鏡筒部２１〜２３を繰り出すための駆動源であり、出力ギア（不図示）を有する。出力ギアは、ズームギア１０２と噛合される。ズームギア１０２は、ズームモータ１０１の出力ギアの回転に伴い、回転される。ズームギア１０２は、第２回転枠２２０のギア部２２１と噛合される。なお、ギア部２２１の説明は後述する。
【００２７】
マスターフランジ１０５は、固定枠１００の後方を覆う板状の樹脂部材である。マスターフランジ１０５の中央には、撮像素子１０３が嵌め込まれている。
【００２８】
第１直進枠１１０は、円筒状に形成され、第１回転枠２１０の外側に配置されている。第１直進枠１１０は、直進溝ａ２と、カム突起Ｂ２と、を有する。直進溝ａ２は、内周面において光軸方向に沿って形成される。カム突起Ｂ２は、内周面の後端部に配置されている。カム突起Ｂ２は、後述する第１回転枠２１０のカム溝ｂ２に係合される。また、第１直進枠１１０は、レンズ鏡筒２０内に光を取り込むための第１レンズ群Ｌ１を保持している。第１直進枠１１０には、第１化粧枠３１０が被されている。
【００２９】
第２直進枠１２０は、円筒状に形成され、第１直進枠１１０の内側に配置されている。第２直進枠１２０は、フランジ部１２１と、直進突起Ａ１と、バヨネット突起Ｅ１と、直進突起Ａ３１と、直進溝ａ３２と、カム溝ｂ３
と、を有する。
【００３０】
フランジ部１２１は、円環状に形成されており、外周面の後端部に立設されている。フランジ部１２１には、光軸方向に貫通した穴１２２が形成される。穴１２２には、レンズ鏡筒２０が沈胴状態において、第１直進枠１１０のカム突起Ｂ２と後述する第１回転枠２１０のカム突起Ｂ３が光軸方向に進入する。つまり、レンズ鏡筒２０の沈胴状態において、第１直進枠１１０の端部がフランジ部１２１の穴１２２に進入し、径方向でフランジ部１２１と重なる位置に配置される。同様に、レンズ鏡筒２０の沈胴状態において、第１回転枠２１０の端部がフランジ部１２１の穴１２２に進入し、径方向でフランジ部１２１と重なる位置に配置される。
【００３１】
直進突起Ａ１は、フランジ部１２１の外周面に立設されている。直進突起Ａ１は、固定枠１００の直進溝ａ１に係合される。バヨネット突起Ｅ１は、フランジ部１２１の外周面に立設されている。バヨネット突起Ｅ１は、後述する第２回転枠２２０のバヨネット溝ｅ１に係合される。直進突起Ａ３１は、内周面において光軸方向に沿って形成される。直進突起Ａ３１は、後述する第３直進枠１３０の直進溝ａ３１に係合される。直進溝ａ３２は、内周面において直進突起Ａ３１に沿って形成される。直進溝ａ３２には、後述する第３直進枠１３０の直進突起Ａ３２が係合される。カム溝ｂ３は、外周面において光軸方向と交差するように形成される。
第２直進枠１２０は、光軸方向の被写体側の端面において、光軸方向に除肉された、第１逃げ部１２３、第２逃げ部１２４、及び、第３逃げ部１２５が形成される。第１逃げ部１２３は、後述する第２レンズ群枠Ｆ２のカム突起Ｂ４が、第２直進枠１２０の被写体側の端面に接近した際に、干渉を防止するために形成される。第２逃げ部１２４は、後述する第３レンズ群枠Ｆ３のカム突起Ｂ５が、第２直進枠１２０の被写体側の端面に接近した際に、干渉を防止するために形成される。第３逃げ部１２５は、後述する第３直進枠１３０のバヨネット突起Ｅ２が、第２直進枠１２０の被写体側の端面に接近した際に、干渉を防止するために形成される。カム溝ｂ３は、第２直進枠１２０の被写体側端面付近まで設けられている。なお、第１逃げ部１２３、第２逃げ部１２４、及び、第３逃げ部１２５は、カム溝ｂ３と重ならない領域に形成されていることが好ましい。
【００３２】
第３直進枠１３０は、円筒状に形成され、第２直進枠１２０の内側に配置されている。第３直進枠１３０は、直進突起Ａ２と、直進突起Ａ３２と、直進溝ａ３１と、バヨネット突起Ｅ２と、貫通溝ｃ１と、貫通溝ｃ２と、を有する。直進突起Ａ２は、外周面の前端部に立設されている。直進突起Ａ２は、第１直進枠１１０の直進溝ａ２に係合される。直進突起Ａ３２は、外周面において光軸方向に沿って形成される。直進突起Ａ３２は、第２直進枠１２０の直進溝ａ３２に係合される。直進溝ａ３１は、外周面において直進突起Ａ３２に沿って形成されている。直進溝ａ３１には、第２直進枠１２０の直進突起Ａ３１が係合される。バヨネット突起Ｅ２は、外周面上において周方向に沿って形成されている。バヨネット突起Ｅ２は、後述する第１回転枠２１０のバヨネット溝ｅ２に係合される。貫通溝ｃ１及び貫通溝ｃ２は、内周面から外周面まで枠本体を貫通しており、光軸方向に沿って形成されている。貫通溝ｃ１には、後述される第２レンズ群枠Ｆ２のカム突起Ｂ４が挿通され、貫通溝ｃ２には、後述される第３レンズ群枠Ｆ３のカム突起Ｂ５が挿通される。
【００３３】
第１回転枠２１０は、円筒状に形成され、第１直進枠１１０の内側に配置されている。第１回転枠２１０は、フランジ部２１１と、バヨネット突起Ｅ３と、直進突起Ａ４と、カム突起Ｂ３と、カム溝ｂ２と、カム溝ｂ４と、カム溝ｂ５と、を有する。フランジ部２１１は、外周面の後端部において周方向に沿って立設されている。バヨネット突起Ｅ３は、フランジ部２１１の外周面の前端部において周方向に沿って立設されている。バヨネット突起Ｅ３は、後述する第２化粧枠３２０のバヨネット溝ｅ３に係合される。直進突起Ａ４は、フランジ部２１１の外周面の後端部に立設されている。直進突起Ａ４は、後述する第２回転枠２２０の直進溝ａ４に係合される。カム突起Ｂ３は、内周面の後端部に配置される。カム突起Ｂ３は、第２直進枠１２０のカム溝ｂ３に係合される。カム突起Ｂ３とカム溝ｂ３とは、第１回転枠２１０の回転に応じて第１回転枠２１０を第２直進枠１２０に対して光軸方向に移動させるためのカム機構を構成している。カム溝ｂ２は、外周面において光軸方向と交差するように形成される。カム溝ｂ２には、第１直進枠１１０のカム突起Ｂ２が係合される。カム溝ｂ２とカム突起Ｂ２とは、第１回転枠２１０の回転に応じて第１直進枠１１０を直進させるためのカム機構を構成している。カム溝ｂ２は、外周面の前端面から後端部まで光軸方向ほぼ全域に形成される。外周面の後端部に形成されたカム溝ｂ２は、フランジ部２１１と光軸方向で略同じ位置まで形成されている。カム溝ｂ４及びカム溝ｂ５は、内周面において光軸方向と交差するように形成される。
【００３４】
第２回転枠２２０は、円筒状に形成され、固定枠１００の内側に配置されている。第２回転枠２２０は、ギア部２２１と、カム突起Ｂ１と、直進溝ａ４と、バヨネット溝ｅ１と、を有する。ギア部２２１は、外周面の後端部において周方向に沿って形成される。ギア部２２１は、ズームギア１０２に噛合されている。そのため、第２回転枠２２０は、ズームモータ１０１の駆動力によって周方向に回転される。カム突起Ｂ１は、固定枠１００のカム溝ｂ１に係合される。直進溝ａ４は、内周面において光軸方向に沿って形成される。直進溝ａ４には、第１回転枠２１０の直進突起Ａ４と後述の第２化粧枠３２０の直進突起Ａ４１が係合される。バヨネット溝ｅ１は、内周面の後端部において周方向に沿って形成される。バヨネット溝ｅ１には、第２直進枠１２０のバヨネット突起Ｅ１が係合される。
【００３５】
第１化粧枠３１０は、第１直進枠１１０の外周及び前面を覆っている。第１化粧枠３１０には、外部から光を取り込むための開口が形成されている。第１レンズ群Ｌ１は、第１化粧枠３１０の開口の内側に配置されている。
【００３６】
第２化粧枠３２０は、円筒状に形成され、第１回転枠２１０の外側に配置されている。第２化粧枠３２０は、直進突起Ａ４１と、バヨネット溝ｅ３と、を有する。直進突起Ａ４１は、外周面の後端部に立設されている。直進突起Ａ４１は、第１回転枠２１０の直進突起Ａ４とともに、第２回転枠２２０の直進溝ａ４に係合されている。バヨネット溝ｅ３は、内周面の後端部において周方向に沿って形成される。バヨネット溝ｅ３には、第１回転枠２１０のバヨネット突起Ｅ３が係合される。
【００３７】
第２レンズ群枠Ｆ２は、円盤状に形成され、第３直進枠１３０の内側に配置される。第２レンズ群枠Ｆ２は、ズームのために用いられる第２レンズ群Ｌ２を保持している。第２レンズ群枠Ｆ２は、外周面上に立設されるカム突起Ｂ４を有する。カム突起Ｂ４は、第３直進枠１３０の貫通溝ｃ１に挿通されるとともに、第１回転枠２１０のカム溝ｂ４に係合される。
【００３８】
第３レンズ群枠Ｆ３は、円筒状に形成され、第３直進枠１３０の内側に配置される。第３レンズ群枠Ｆ３は、像ぶれ補正用の第３レンズ群Ｌ３を保持する。また、第３レンズ群枠Ｆ３は、シャッター機構、像ぶれ補正機構及び第３レンズ群Ｌ３退避機構を内蔵している。第３レンズ群枠Ｆ３は、外周面上に立設されるカム突起Ｂ５を有する。カム突起Ｂ５は、第３直進枠１３０の貫通溝ｃ２に挿通されるとともに、第１回転枠２１０のカム溝ｂ５に係合される。
【００３９】
第４レンズ群枠Ｆ４は、固定枠１００に支持される。第４レンズ群枠Ｆ４は、合焦のために用いられる第４レンズ群Ｌ４を保持している。
【００４０】
第５レンズ群枠Ｆ５は、マスターフランジ１０５に支持される。第５レンズ群枠Ｆ５は、第５レンズ群Ｌ５を保持している。
【００４１】
〈枠どうしの係合〉
図５乃至図７は、レンズ鏡筒２０の断面図である。ただし、図５乃至図７は、光軸ＡＸを通る複数の切断面が組み合わされた模式図である。なお、図５では、沈胴状態のレンズ鏡筒２０が図示され、図６では、ワイド状態のレンズ鏡筒２０が図示され、図７では、テレ状態のレンズ鏡筒２０が図示されている。
【００４２】
図５に示すように、沈胴状態では、固定枠１００の径方向内側に第２回転枠２２０、第２化粧枠３２０、第１化粧枠３１０、第１直進枠１１０、第１回転枠２１０、第２直進枠１２０及び第３直進枠１３０が順次収納されている。また、沈胴状態において、第２直進枠１２０に対して第１回転枠２１０が光軸方向に繰り込んだ状態となり、第１回転枠２１０に対して第１直進枠１１０が光軸方向に繰り込んだ状態となる。その結果、第２直進枠１２０のフランジ部１２１にあいた穴１２２には、第１直進枠１１０のカム突起Ｂ２と第１回転枠のカム突起Ｂ３が光軸方向に進入する。こうすることで、レンズ鏡筒２０において、光軸方向の全長をより短くすることが可能になる。また、沈胴状態において、第２直進枠１２０に対して第３直進枠１３０が光軸方向に繰り込んだ状態となる。その結果、第２直進枠１２０の第３逃げ部１２５には、第３直進枠１３０のバヨネット突起Ｅ２が光軸方向に進入する。こうすることで、レンズ鏡筒２０において、光軸方向の全長をより短くすることが可能になる。なお、第３逃げ部１２５へのバヨネット突起Ｅ２の進入が沈胴状態で発生するとしたが、それに限られるものではない。光学設計や機構設計の都合により、ズーム中の撮影状態においても発生する。また、沈胴状態において、第２直進枠１２０に対して第２レンズ群枠Ｆ２が光軸方向に繰り込んだ状態となる。その結果、第２直進枠１２０の第１逃げ部１２３には、第２レンズ群枠Ｆ２のカム突起Ｂ４が光軸方向に進入する。こうすることで、レンズ鏡筒２０において、光軸方向の全長をより短くすることが可能になる。なお、第１逃げ部１２３へのカム突起Ｂ４の進入が沈胴状態で発生するとしたが、それに限られるものではない。光学設計や機構設計の都合により、ズーム中の撮影状態においても発生する。また、沈胴状態において、第２直進枠１２０に対して第３レンズ群枠Ｆ３が光軸方向に繰り込んだ状態となる。その結果、第２直進枠１２０の第２逃げ部１２４には、第３レンズ群枠Ｆ３のカム突起Ｂ５が光軸方向に侵入する。こうすることで、レンズ鏡筒２０において、光軸方向の全長をより短くすることが可能になる。なお、第２逃げ部１２４へのカム突起Ｂ５の進入が沈胴状態で発生するとしたが、それに限られるものではない。光学設計や機構設計の都合により、ズーム中の撮影状態においても発生する。また、沈胴状態において、第３レンズ群枠Ｆ３の像ぶれ補正機構によって、第３レンズ群Ｌ３が第４及び第５レンズ群Ｌ４、Ｌ５の径方向外側に退避することによって、光軸方向におけるレンズ鏡筒２０のコンパクト化が実現されている。
【００４３】
以下、図６及び図７を参照しながら、枠どうしの係合について説明する。
第２回転枠２２０のギア部２２１は、ズームギア１０２に噛合される（不図示）。第２回転枠２２０のカム突起Ｂ１は、固定枠１００のカム溝ｂ１に係合される。これにより、第２回転枠２２０は、ズームモータ１０１の駆動力によって、固定枠１００に対して周方向に回転しながら光軸方向に移動する。
【００４４】
第２直進枠１２０の直進突起Ａ１は、固定枠１００の直進溝ａ１に係合される。第２直進枠１２０のバヨネット突起Ｅ１は、第２回転枠２２０のバヨネット溝ｅ１に係合される。従って、第２直進枠１２０は、第２回転枠２２０の光軸方向における移動に伴って、固定枠１００に対して回転することなく光軸方向に直進させられる。
【００４５】
また、第２直進枠１２０のカム溝ｂ３には、第１回転枠２１０のカム突起Ｂ３が係合されている。第２回転枠２２０の直進溝ａ４には、第１回転枠２１０の直進突起Ａ４が係合されている。従って、第１回転枠２１０は、第２回転枠２２０とともに回転することに応じて、第２直進枠１２０に対して周方向に回転しながら光軸方向に移動させられる。
【００４６】
第２化粧枠３２０のバヨネット溝ｅ３は、第１回転枠２１０のバヨネット突起Ｅ３に係合される。直進突起Ａ４１は、第１回転枠２１０の直進突起Ａ４と共に、第２回転枠２２０の直進溝ａ４に係合される。従って、第２化粧枠３２０は、第１回転枠２１０の光軸方向における移動に伴って、第２回転枠２２０と共に回転しながら光軸方向に移動させられる。
【００４７】
なお、第２化粧枠３２０と第１直進枠１１０の間には、光軸方向の互いの位置関係を規制する機構、すなわちカム機構や回転規制機構、は存在しない。第２化粧枠３２０に必要とされる機能としては、漏光防止、強度確保、及び外観性向上があり、鏡筒を駆動するための機能は必要とされない。従って、第２化粧枠３２０は径方向内側に直進溝やカム溝を構成する必要が無く、他の筒、枠と比べ薄く作ることが可能である。
【００４８】
また、第３直進枠１３０のバヨネット突起Ｅ２は、第１回転枠２１０のバヨネット溝ｅ２と係合している。そのため、第３直進枠１３０は、第１回転枠２１０とともに光軸方向に移動させられる。
【００４９】
また、第２直進枠１２０の直進突起Ａ３１は、第３直進枠１３０の直進溝ａ３１に係合され、第２直進枠１２０の直進溝ａ３２には、第３直進枠１３０の直進突起Ａ３２が係合される。そのため、第３直進枠１３０は、第２直進枠１２０に対して回転しない。
【００５０】
また、第１回転枠２１０のカム溝ｂ２には、第１直進枠１１０のカム突起Ｂ２が係合されている。第３直進枠１３０の直進突起Ａ２は、第１直進枠１１０の直進溝ａ２に係合されている。そのため、第１直進枠１１０は、第３直進枠１３０に対して回転しない。
【００５１】
従って、固定枠１００から順に、第２直進枠１２０、第３直進枠１３０及び第１直進枠１１０が、回転規制機構としての直進溝と直進突起により連結することで、固定枠１００に対して第１直進枠１１０が回転せずに直進移動させられる。また、固定枠１００から第２回転枠２２０、及び、第２直進枠１２０から順に、第１回転枠２１０及び第１直進枠１１０が、カム機構としてのカム溝とカム突起により連結することで、固定枠１００に対して第１直進枠１１０がカム軌跡に従って移動させられる。なお、第２回転枠２２０と第２直進枠１２０連結は、光軸方向規制機構としてのバヨネット溝とバヨネット突起により行なわれる。
【００５２】
以上のようにして、レンズ鏡筒２０の３段繰り出しが実現されている。なお、第２レンズ群枠Ｆ２のカム突起Ｂ４は、第３直進枠１３０の貫通溝ｃ１に挿通されるとともに、第１回転枠２１０のカム溝ｂ４に係合される。また、第３レンズ群枠Ｆ３のカム突起Ｂ５は、第３直進枠１３０の貫通溝ｃ２に挿通されるとともに、第１回転枠２１０のカム溝ｂ５に係合される。従って、第２レンズ群枠Ｆ２及び第３レンズ群枠Ｆ３は、第１回転枠２１０の回転に応じて、光軸方向に直進する。
【００５３】
（作用及び効果）
レンズ鏡筒２０は、第１直進枠１１０と、第１回転枠２１０（回転枠の一例）と、第２直進枠１２０と、第３直進枠１３０と、固定枠１００と、を備える。第１回転枠２１０は、第１直進枠１１０の内側に配置され、回転により第１直進枠１１０を直進させるように、カム機構（カム突起Ｂ２及びカム溝ｂ２）を介して第１直進枠１１０に係合されている。第２直進枠１２０は、第１直進枠１１０の内側に配置され、第１回転枠２１０の回転に応じて、第１回転枠２１０を光軸方向に移動させるように、カム機構（カム突起Ｂ３及びカム溝ｂ３）を介して第１回転枠２１０に係合されている。固定枠１００は、第２直進枠１２０を直進可能に支持している。
【００５４】
このように、第１回転枠２１０と第２直進枠１２０とが第１直進枠１１０の内側に配置されているので、第１レンズ群Ｌ１の外径を大きくするために第１直進枠１１０の外径を大きくしたとしても、レンズ鏡筒２０全体の外径が大きくなることを抑制できる。従って、レンズ鏡筒２０内に取り込む光量を増やしつつ、レンズ鏡筒２０のコンパクト化を図ることができる。
【００５５】
（その他の実施形態）
（Ａ）上記実施形態において、第２直進枠１２０は、第１回転枠２１０の内側に配置されることとしたが、これに限られるものではない。第２直進枠１２０は、第１回転枠２１０の外側に配置されていてもよい。すなわち、第１回転枠２１０及び第２直進枠１２０が第１直進枠１１０の内側に配置されていればよい。この場合、第２直進枠１２０に直進突起Ａ２を形成して、この直進突起Ａ２を第１直進枠１１０の直進溝ａ２に係合させるとともに、第１回転枠２１０の直進突起Ａ４を第２直線枠１２０に挿通させればよい。
【００５６】
（Ｂ）上記実施形態において、レンズ鏡筒２０は、第１乃至第５レンズ群Ｌ１〜Ｌ５を備えることとしたが、これに限られるものではない。レンズ鏡筒２０は、少なくとも第１レンズ群Ｌ１を備えていればよい。
【００５７】
（Ｃ）上記実施形態において、レンズ鏡筒２０は、第３直進枠１３０を備えることとしたが、第３直進枠１３０を備えていなくてもよい。この場合、他の直進枠又は新たな直進枠に対して、直進溝及び直進突起を介して、第１直進枠１１０を係合させればよい。具体的には、例えば第２直進枠１２０に直進突起Ａ２を形成して、この直進突起Ａ２を第１直進枠１１０の直進溝ａ２に係合させればよい。
【００５８】
（Ｄ）上記実施形態において、レンズ鏡筒２０は、３段沈胴式のズーム機構を備えることとしたが、これに限られるものではない。レンズ鏡筒２０は、３段以上の沈胴機構を有していてもよい。この場合、第２回転枠２２０及び第２直進枠１２０は２段目以降に配置されていてもよい。すなわち、第２回転枠２２０及び第２直進枠１２０は、他の枠体を介して固定枠１００に連結されていてもよい。
【００５９】
（Ｅ）上記実施形態では、２つの枠のうち一方の枠にカム溝ｂが形成され、他方の枠にカム突起Ｂが形成されているが、これに限られるものではない。２つの枠のうち一方の枠にカム突起Ｂが形成され、他方の枠にカム溝ｂが形成されていてもよい。また、２つの枠のそれぞれにカム溝ｂとカム突起Ｂとが形成されていてもよい。
【００６０】
（Ｆ）上記実施形態では、２つの枠のうち一方の枠に直進溝ａが形成され、他方の枠に直進突起Ａが形成されているが、これに限られるものではない。２つの枠のうち一方の枠に直進突起Ａが形成され、他方の枠に直進溝ａが形成されていてもよい。また、２つの枠のそれぞれに直進溝ａと直進突起Ａとが形成されていてもよい。
【００６１】
（Ｇ）上記実施形態では、２つの枠のうち一方の枠にバヨネット溝ｅが形成され、他方の枠にバヨネット突起Ｅが形成されているが、これに限られるものではない。２つの枠のうち一方の枠にバヨネット突起Ｅが形成され、他方の枠にバヨネット溝ｅが形成されていてもよい。また、２つの枠のそれぞれにバヨネット溝ｅとバヨネット突起Ｅとが形成されていてもよい。
【００６２】
（Ｈ）上記実施形態では、第３レンズ群Ｌ３が第４及び第５レンズ群Ｌ４、Ｌ５の径方向外側に退避することとしたが、これに限られるものではない。第３レンズ群Ｌ３は、沈胴状態において第４及び第５レンズ群Ｌ４、Ｌ５の前方に配置されてもよい。
【００６３】
（Ｉ）上記実施形態では、第２直進枠１２０は、第３直進枠１３０の径方向外側に配置されることとしたが、これに限られるものではない。第３直進枠１３０は、第２直進枠１２０の径方向外側に配置されていてもよい。この場合、第３直進枠１３０は、例えば、第２直進枠１２０の径方向外側の直進溝に係合される直進突起を径方向内側に備えていればよい。また、第３直進枠１３０は、第２直進枠１２０と径方向において略同じ位置に配置されていてもよい。この場合、第２直進枠１２０の前側と第３直進枠１３０の後側とを格子状に切り欠くことによって、第２直進枠１２０と第３直進枠１３０とを前後で嵌め合わせればよい。
【００６４】
（Ｊ）上記実施形態では、第２直進枠１２０のフランジ部１２１には、光軸方向に貫通した穴１２２が形成されることとしたが、これに限られるものではない。フランジ部１２１には、光軸方向に貫通した穴１２２がなくてもよい。この場合、沈胴状態において、第１直進枠１１０のカム突起Ｂ２と第１回転枠のカム突起Ｂ３は、フランジ部１２１の手前までしか繰り込めないが、レンズ鏡筒２０の径方向におけるコンパクト化効果は、同等である。この場合、穴１２２からの漏光はなくなる。
【産業上の利用可能性】
【００６５】
ここに開示された技術によれば、コンパクト化可能なレンズ鏡筒を提供することができるので、例えば、カメラ、カメラ付き携帯電話、カメラ付きポータブル端末等に適用できる。
【符号の説明】
【００６６】
１    …デジタルカメラ
１０  …筐体
２０  …レンズ鏡筒
２１  …第１移動鏡筒部
２２  …第２移動鏡筒部
２３  …第３移動鏡筒部
２４  …固定鏡筒部
１００…固定枠
１１０…第１直進枠
１０１…ズームモータ
１０２…ズームギア
１２０…第２直進枠
１３０…第３直進枠
２１０…第１回転枠
２１１…ギア部
２２０…第２回転枠
３１０…第１化粧枠
３２０…第２化粧枠
Ｆ２〜Ｆ５…第２乃至第５レンズ群枠
Ｌ１〜Ｌ５…第１乃至第５レンズ群
ａ  …直進溝
Ａ  …直進突起
ｂ  …カム溝
Ｂ  …カムフォロア
ｃ  …貫通溝
ｅ  …バヨネット溝
Ｅ  …バヨネット突起
【図１】
2013102994.tif 000003
【図２】
2013102994.tif 000004
【図３】
2013102994.tif 000005
【図４】
2013102994.tif 000006
【図５】
2013102994.tif 000007
【図６】
2013102994.tif 000008
【図７】
2013102994.tif 000009
【国際調査報告】
2013102994.tif 000010
2013102994.tif 000011
2013102994.tif 000012
2013102994.tif 000013